(57)【要約】【課題】キー列単位での照光、またはその組み合わせによる照光を可能とする。【解決手段】キーシート上の所定のキー列単位で配置された複数の導光シート４６ａ〜４６ｆと、これら導光シート４６ａ〜４６ｆの側部に配置された複数の光源５０ａ，５０ｂ，５０ｃとを備え、各導光シート４６ａ〜４６ｆは、各光源５０ａ，５０ｂ，５０ｃからの光を導光シート内部に導入する入光部４６ａ１〜４６ｆ１を有し、各入光部４６ａ１〜４６ｆ１は、各光源５０ａ，５０ｂ，５０ｃの入光方向に対して直交する方向に互いに重積配置されているとともに、各光源５０ａ，５０ｂ，５０ｃは、各導光シート４６ａ〜４６ｆのそれぞれに対して独立して配置された複数のＬＥＤからなり、これらＬＥＤは、入光方向に対して直交する方向に互いに積層配置されている。【選択図】図４
2010027335.tif 000002
【特許請求の範囲】
【請求項１】
キーシート上の所定のキー列単位で配置された複数の導光シートと、
前記複数の導光シートの側部に配置された発光体からなる光源とを備え、
前記各導光シートは、前記光源からの光を導光シート内部に導入する入光部を有し、前記各入光部は、前記光源の入光方向に対して直交する方向に互いに重積配置されていることを特徴とするキー入力装置。
【請求項２】
請求項１に記載のキー入力装置において、
前記光源は、前記複数の導光シートのそれぞれに対して独立して配置された複数の発光体からなり、これら発光体は、前記入光方向に対して直交する方向に互いに積層配置されていることを特徴とするキー入力装置。
【請求項３】
請求項２に記載のキー入力装置において、
前記複数の導光シートの入光部間に遮光シートが配置されていることを特徴とするキー入力装置。
【請求項４】
請求項３に記載のキー入力装置において、
隣接する導光シート間に遮光シートが配置されていることを特徴とするキー入力装置。
【請求項５】
請求項２から請求項４までのいずれか１項に記載のキー入力装置において、
前記複数の発光体は、その発光色が異なることを特徴とするキー入力装置。
【請求項６】
請求項２または請求項３に記載のキー入力装置において、
前記光源が３個の発光体からなり、これら３個の発光体がＲ，Ｇ，Ｂの互いに異なる発光色であることを特徴とするキー入力装置。
【請求項７】
請求項５または請求項６に記載のキー入力装置において、
前記各導光シートは、キー列方向に隣接する側縁部分が互いに重複するように配置されていることを特徴とするキー入力装置。
【請求項８】
請求項５から請求項７までのいずれか１項に記載のキー入力装置において、
前記各発光体の点灯を制御する制御手段を備え、
前記制御手段は、予め設定されたプログラムに従って前記各発光体を単独でまたは任意に組み合わせてオン・オフ制御することを特徴とするキー入力装置。
【請求項９】
請求項１から請求項８までのいずれか１項に記載のキー入力装置を備えたことを特徴とする携帯端末。
【発明の詳細な説明】
【技術分野】
【０００１】
本発明は、キーシート上に配置された導光シートと、この導光シートの側部に配置された発光体からなる光源とを備えたキー入力装置及びこのキー入力装置を搭載した携帯端末に関する。
【背景技術】
【０００２】
近時の携帯電話やＰＤＡは、発光体である複数のＬＥＤを光源とし、キーシートのキートップ面やキー文字を照光させるために、キーシート上に導光シートを配置した構造となっている。すなわち、光源からの光を導光シート端面より入射することにより、キーシートのキー文字やキートップ面を照光する構造となっている。そして、このような構造において、従来からキーの照光を均一にするための技術が種々提案されている（例えば、特許文献１〜４等参照）。
【０００３】
特許文献１には、少数のＬＥＤによってキーボード及び液晶表示パネルの全領域を均一に照光する技術が開示されている。すなわち、キーボード及び液晶表示パネルの裏面の全領域を照光する一つの導光板と、この導光板の１か所を照光するＬＥＤとを備え、この1個のＬＥＤによって１個の導光板を介してキーボード及び液晶表示パネルの全領域を裏面から照光する装置が開示されている。
【０００４】
また、特許文献２には、バックライト用の光源からの光を漏れなく効率よく側面側から導くと共に、薄型化する携帯電話や携帯情報端末等のキースイッチに搭載可能な導光シートが開示されている。具体的には、平板状に形成されたシート本体部の側面に、ＬＥＤで発光した光を導き入れる受光部が形成された導光シートであって、受光部は、ＬＥＤの発光面と略同じ厚みに形成された受光面からシート本体部に向けて傾斜するテーパ状の導光部を備えることによって、ＬＥＤで発した光を導光シート内に効率よく導き、導光シート全体を均一に明るく照射するようになっている。
【０００５】
また、特許文献３には、大量生産を維持しつつ安価にユーザーの独自性を出せるキー照明が開示されている。具体的には、電子機器のキーボタン照明構造において、電子機器を形成し、結合、分離可能な２つのケースと、光を透過する複数のキートップを一方のケースの窓に嵌め込んで形成されるキーボタンと、光を導光するシートに対し、シートの表面に光を透過するカラーペインティングを行うことにより、当該シートをキーボタンに重ねた状態でキーボタンのカラー照明を行うカラー導光シートと、他方のケースに固定される基板に搭載され、白色の発光を行い、一方のケースの結合時にカラー導光シートを導光する光の光源となる複数の発光ダイオードとを備えた構成となっている。すなわち、白色の単色ＬＥＤを用いて導光シートに入射した場合には、キーボタンは一色にしか照光することができないが、特許文献３にあるように、導光シートを透過するカラーペインティングを行うことで、ユーザーの独自性を出すことができる。
【０００６】
また、特許文献４には、回路基板上に設けられる複数のキースイッチ部の外表面にしなやかに沿うようにして載置することで、端部から入射した光をムラなく各キースイッチ部に導光させることができると共に、スイッチング特性の向上及び全体の薄型化を図ることができる柔軟性の導光シートを備えたシートスイッチモジュールが開示されている。キースイッチの外表面の一面に配置された導光シートは、端末の薄型化にも影響を及ぼし、かつスイッチングにも影響を与えるが、特許文献４のように、しなやかな導光シートを用いてスイッチ上に沿うように配置した場合には、薄型化に寄与するだけでなくスイッチング特性も損ねることが無い装置を実現することが可能である。
【特許文献１】特開平６−２２０１７号公報
【特許文献２】特開２００４−６９７５１号公報
【特許文献３】特開２００６−１４６６２４号公報
【特許文献４】特開２００７−３２４１００号公報
【発明の開示】
【発明が解決しようとする課題】
【０００７】
上記各特許文献にも記載されているように、キートップやキー文字を照光させるために導光シートの端面からＬＥＤ光源を入射して全体を均一に照光させる技術はすでに存在しており、それをより効率よく均一に照光させる技術や、導光シートをカラーペインティングすることで安価にユーザの独自性を持たせる技術も存在しているが、上記いずれの技術もキー全体を照光させるに留まり、少数のＬＥＤで複数列あるキーを例えば列ごとに個別に照光させるといったことはできなかった。
【０００８】
本発明はかかる実情に鑑みて創案されたもので、その目的は、複数の導光シートの入光部をＬＥＤの入光方向に対して直交するように重積配置し、導光シートごとに独立するＬＥＤを同じく重積配置することで、キー列単位での照光、またはその組み合わせによる変化に富んだ多彩な照光を可能としたキー入力装置及びこのキー入力装置を搭載した携帯端末を提供することにある。
【課題を解決するための手段】
【０００９】
上記課題を解決するため、本発明のキー入力装置は、キーシート上の所定のキー列単位で配置された複数の導光シートと、前記複数の導光シートの側部に配置された発光体からなる光源とを備え、前記各導光シートは、前記光源からの光を導光シート内部に導入する入光部を有し、前記各入光部は、前記光源の入光方向に対して直交する方向に互いに重積配置された構成となっている。また、前記光源は、前記複数の導光シートのそれぞれに対して独立して配置された複数の発光体からなり、これら発光体は、前記入光方向に対して直交する方向に互いに積層配置された構成となっている。
【００１０】
このように、導光シートをキー列単位で複数に分割し、各導光シートの入光部を光源の入光方向に対して直交する方向に互いに重積配置し、かつ、光源についても、複数の導光シートのそれぞれに対して独立して配置された複数の発光体を入光方向に対して直交する方向に互いに積層配置した多層ＬＥＤ構造を採用している。すなわち、導光シートの入光部及び発光体を共に重積構造としているため、キーボードの上面から見た場合の配置スペースは従来と変わらない配置構成とすることができる。また、導光シートをキー列単位で配置することで、従来技術では成し得なかった各ファンクションキーごとのキー照光を実現することができる。
【００１１】
この場合、前記複数の導光シートの入光部間に遮光シートを配置する。さらに、隣接する導光シート間にも遮光シートを配置してもよい。これにより、１個の導光シートに対応した１個の発光体からの光が、隣接する導光シートに入射されることを防止することができる。
【００１２】
また、本発明によれば、前記複数の発光体を、その発光色が異なるように構成してもよい。例えば、前記光源が３個の発光体からなり、これら３個の発光体をＲ，Ｇ，Ｂの互いに異なる発光色となるように構成してもよい。このように構成することで、各キー列を個別の色で照光るすことができるので、例えば携帯端末での着信時のイルミネーションや、音楽視聴時にメロディーに合わせたイルミネーションにすることが可能となり、より付加価値の高いキー入力装置を実現することができる。
【００１３】
この場合、前記各導光シートは、キー列方向に隣接する側縁部分が互いに重複するように配置されていてもよい。このように配置することで、例えば１個の導光シートを赤色で照光し、隣接する導光シートを青色で照光すると、重複部分を含むその近傍では両方の色が混ざった紫がかった色となり、１個の導光シートを青色で照光し、隣接する導光シートを緑色で照光すると、重複部分を含むその近傍では両方の色が混ざった水色がかった色となる。また、Ｒ，Ｇ，Ｂに対応する３列の導光シートを同時に照光した場合、中央部に位置する導光シートでは、隣接する両側の導光シートから漏れ出した光が混ざる場合があるため、その部分では白色若しくは白っぽい色となる。
【００１４】
なお、本発明では、前記各発光体の点灯を制御する制御手段を備えており、前記制御手段は、予め設定されたプログラムに従って前記各発光体を単独でまたは任意に組み合わせてオン・オフ制御するように構成すればよい。これにより、上記のような色の変化に富んだイルミネーション効果を実現することが可能となる。また、本発明の技術をさらに発展させるものとして、上記特許文献３に記載されている導光シートにカラーペインティングする技術を応用し、ＲＧＢ３層ＬＥＤ構造の光源をソフト制御により調節することで無限の照光色を実現することも可能となる。
【発明の効果】
【００１５】
本発明によれば、従来技術では成しえなかったキー列単位での照光を実現することができる。また、ＬＥＤ配置についても、多層ＬＥＤ構造を採用することで少数のＬＥＤチップで複数の導光シートを個別に照光することが可能となる。さらに、デザイン的に見ても、例えば携帯端末での着信時のイルミネーションや、音楽視聴時にメロディーに合わせたイルミネーションにすることが可能となり、より付加価値の高いキー入力装置を実現することができる。
【発明を実施するための最良の形態】
【００１６】
以下、本発明の実施の形態について、図面を参照して説明する。
【００１７】
＜実施形態１＞
図１は、本発明のキー入力装置を実装した携帯端末の実施形態１を示す外観図、図２は操作筐体側の分解斜視図、図３は、図１のＤ−Ｄ線に沿う断面図である。携帯端末としては、携帯電話、電子辞書、ＰＤＡ（Ｐｅｒｓｏｎａｌ Ｄｉｇｉｔａｌ Ａｓｓｉｓｔａｎｔｓ）などの各種端末があるが、本実施形態１では折り畳み式携帯電話の構成を例に挙げて説明する。
【００１８】
すなわち、図１は、折り畳み携帯電話の「通常オープン状態」における外観図である。通常オープン状態は、折り畳み携帯電話の使用時における最も基本的な状態であり、図中の（ａ）は、通常オープン状態における折り畳み携帯電話をユーザ側から見た正面図、（ｂ）は、その左側面図である。
【００１９】
この折り畳み携帯電話は、操作筐体１、表示筐体２及び可動連結部３により構成されている。操作筐体１及び表示筐体２は、ともに略矩形平板の形状からなる薄型筐体であり、対向する２つの主面を有している。これら操作筐体１及び表示筐体２は、それぞれの一短辺が可動連結部３により連結されている。この可動連結部３は、第１回転軸Ａ１を中心として、両筐体１，２を相対的に回転させることができるようになっている。
【００２０】
つまり、操作筐体１を固定し、第１回転軸Ａ１を中心として表示筐体２を回転させれば、両筐体１，２の主面を対向させて折り畳むことができ、あるいは、展開させることができる。
【００２１】
なお、折り畳み携帯電話の種類によっては、この第１回転軸Ａ１に直交する方向に第２回転軸を備えているものもあるが、本実施形態１では第１回転軸Ａ１のみを備えた一般的な構造の折り畳み携帯電話に適用した場合について説明する。
【００２２】
操作筐体１の主面（対向面）にはテンキー１０、メールキー１１，ガイドキー１２、インターネットに接続するためのインターネット（Ｙ）キー１３、多機能キー１４、オフフック（電源）キー１５、オンフックキー１６、クリア（Ｃ）キー１７、メールアドレスを入力するときなどに使用されるアットマーク（＠）キー１８、携帯端末向けの１セグ地上デジタル放送信号を受信するためのテレビ（ＴＶ）キー１９などの各種の操作キーが配置されており、当該主面は、ユーザが操作入力を行うための操作面として使用される。また、通話用マイクロフォン２５が、上記操作面内であって、可動連結部３とは反対側の筐体端部付近に配置されている。また、操作筐体１の内部には、上記操作キー１０〜１９を照明する複数の発光体（例えばＬＥＤ）からなる複数の光源５０ａ〜５０ｃ（図２及び図３参照）が設けられている。
【００２３】
表示筐体２の主面（対向面）には、液晶表示パネルからなるメイン表示画面２０が配置されており、当該主面は、ユーザに対し表示出力を行うための表示面として使用される。また、通話用レシーバ２１が上記表示面内に配置されている。また、表示筐体２の内部には、メイン表示画面２０を照明するためのパネルバックライト６５（図５参照）が設けられている。
【００２４】
操作筐体１は、図２及び図３に示すように、上側筐体１ａと下側筐体１ｂとに分割されており、下側筐体１ｂに配置されている基板４４上に、上記操作キー１０〜１９に対応した多数のキースイッチ４５ａ，４５ａ，・・・を備えたキーシート４５が配置され、このキーシート４５上に所定のキー列単位に分割された複数の導光シート４６ａ〜４６ｆが配置され、これら導光シート４６ａ〜４６ｆ上に、上記各キースイッチ４５ａ，４５ａ，・・・に対向してそれぞれキートップ４７ａ，４７ａ，・・・が形成されたキーユニット４７が配置されている。また、各導光シート４６ａ〜４６ｆには、図示は省略しているが、上記キートップ４７ａに対向する位置に、光を拡散させてキートップ４７ａに光を均等に照射するための光拡散パターンが形成されている。そして、これら積層配置されたキーシート４５の一方の側（図２では左側）に、ＬＥＤ等からなる光源５０ａ，５０ｂ，５０ｃが所定の間隔で必要個数配置（本実施形態１では、３個配置）された構成となっている。
【００２５】
本実施形態１では、導光シートは６個に分割されており、図４に示すように、１列目の第１導光シート４６ａは、メールキー１１、ガイドキー１２、インターネットキー１３、多機能キー１４、オフフック（電源）キー１５、オンフックキー１６を含むキー列をカバーするように少し幅広に形成されている。また、２列目の第２導光シート４６ｂは、クリアキー１７、アットマークキー１８、テレビキー１９を含むキー列をカバーする幅に形成されており、３列目の第３導光シート４６ｃは、テンキー１０のうち、１から３までの数字キーを含むキー列をカバーする幅に形成されており、４列目の第４導光シート４６ｄは、テンキー１０のうち４から６までの数字キーを含むキー列をカバーする幅に形成されており、５列目の第５導光シート４６ｅは、テンキー１０のうち７から９までの数字キーを含むキー列をカバーする幅に形成されており、６列目の第６導光シート４６ｆは、０の数字キーとアスタリスク（＊）キーとシャープ（♯）キーとを含むキー列をカバーする幅に形成されている。
【００２６】
一方、各光源５０ａ，５０ｂ，５０ｃは、本実施形態１では、隣接する２個の導光シートに対して１個配置されており、第１光源５０ａは、１列目と２列目の第１及び第２導光シート４６ａ，４６ｂに対応し、第２光源５０ｂは、３列目と４列目の第３及び第４導光シート４６ｃ，４６ｄに対応し、第３光源５０ｃは、５列目と６列目の第５及び第６導光シート４６ｅ，４６ｆに対応している。
【００２７】
ここで、３列目と４列目の第３及び第４導光シート４６ｃ，４６ｄとこれに対応する第２光源５０ｂとの配置関係について、図３を参照してさらに詳細に説明する。ただし、他の導光シートと光源との配置関係もここで説明する配置関係と同様である。
【００２８】
第２光源５０ｂは、２個の第３及び第４導光シート４６ｃ，４６ｄのそれぞれに対して独立して配置された２個のＬＥＤ５１，５２からなり、これらＬＥＤ５１，５２が入光方向（図４では右方向）に対して直交する方向（紙面に垂直な方向）に積層配置された２層ＬＥＤ構造となっている。
【００２９】
一方、第３及び第４導光シート４６ｃ，４６ｄは、この第２光源５０ｂの構造に対応すべく、第２光源５０ｂからの光を導光シート内部に導入するための入光部４６ｃ１，４６ｄ１をそれぞれ備えており、各入光部４６ｃ１，４６ｄ１（特に、光源に近い部分の入光部）は、第２光源５０ｂの入光方向に対して直交する方向（紙面に垂直な方向）に重積配置された構成となっている。図３では、第３導光シート４６ｃの入光部４６ｃ１が上側のＬＥＤ５１に対向配置され、第４導光シート４６ｄの入光部４６ｄ１が下側のＬＥＤ５２に対向配置された構成となっているが、この逆の配置でも良いことは当然である。このように重積配置した場合、一方の入光部に入射された光が他方の入光部に漏れるため、本実施形態１では、これら入光部４６ｃ１，４６ｄ１間に遮光シート４８を介装している。
【００３０】
この遮光シート４８は、図２に示すように、縦長の短冊状に形成された１枚のシートからなっている。すなわち、本実施形態１では、この１枚の遮光シート４８を、第１及び第２導光シート４６ａ，４６ｂの間、第３及び第４導光シート４６ｃ，４６ｄの間、第５及び第６導光シート４６ｅ，４６ｆの間に順次介装させて、キーシート４５の左側縁部に沿って配置している。また、光の漏れをより確実に防止するのであれば、図４中に太い実線で示すように、隣接する導光シート間にも細長い形状の遮光シート４９を配置すればよい。これにより、隣接する導光シート間の光の漏れを確実に防止することが可能となる。
【００３１】
図５は、上記構成の折り畳み携帯電話の主要部の電気的構成の一例を示す機能ブロック図である。
【００３２】
本実施形態１の折り畳み携帯電話は、主制御部６０、入力制御部６２、表示制御部６４、図示しない通信用アンテナを介して基地局との間で電波を送受信するセルラー通信部６６、インターネット接続部６７、及び１セグ地上デジタル放送信号を受信するＴＶ受信部６８を主な構成要素としている。
【００３３】
入力制御部６２は、操作面内の操作キー１０〜１９等による操作を監視し、キー操作信号を主制御部６０へ出力している。操作面内の操作キー１０〜１９は、操作面を内側にして折り畳まれた通常クローズ状態では、使用することができない。また、入力制御部６２は、各導光シート４６ａ〜４６ｆを介して操作面内の各操作キー１０〜１９を照明するための３個の光源５０ａ〜５０ｃからなる６個のＬＥＤ５１，５２の点灯または点滅制御を主制御部６０からの指示に従って行っている。
【００３４】
表示制御部６４は、メイン表示画面２０の表示制御を行っている。また、表示制御部６４は、メイン表示画面２０である液晶パネルを照明するためのパネルバックライト６５の点灯制御を主制御部６０からの指示に従って行っている。
【００３５】
主制御部６０は、折り畳み携帯電話の主要な制御を行っているプロセッサからなり、図示は省略しているが、ＣＰＵ、ＲＯＭ、ＲＡＭ等を備えており、各光源５０ａ〜５０ｃの各ＬＥＤ５１，５２の点灯または点滅制御のためのプログラムはＲＯＭに予め格納されている。
【００３６】
図６は、主制御部６０からの指示に従って入力制御部６２が行う各ＬＥＤ５１，５２の最も基本的な点灯制御の例を示している。
【００３７】
すなわち、各導光シート４６ａ〜４６ｆに対応したＬＥＤを個別に点灯または点滅制御した例を示しており、同図（ａ）は第１光源５０ａの上側のＬＥＤ５１のみを点灯または点滅させることにより、第１導光シート４６ａを介してメールキー１１、ガイドキー１２、インターネットキー１３、多機能キー１４、オフフック（電源）キー１５、オンフックキー１６を含むキー列を点灯または点滅制御している状態（図中斜線を付して示す）、同図（ｂ）は第１光源５０ａの下側のＬＥＤ５２のみを点灯または点滅させることにより、第２導光シート４６ｂを介してクリアキー１７、インターネットキー１８、テレビキー１９を含むキー列を点灯または点滅制御している状態（図中斜線を付して示す）、同図（ｃ）は第２光源５０ｂの上側のＬＥＤ５１のみを点灯または点滅させることにより、第３導光シート４６ｃを介して１から３までの数字キーを含むキー列を点灯または点滅制御している状態（図中斜線を付して示す）、同図（ｄ）は第２光源５０ｂの下側のＬＥＤ５２のみを点灯または点滅させることにより、第４導光シート４６ｄを介して４から６までの数字キーを含むキー列を点灯または点滅制御している状態（図中斜線を付して示す）、同図（ｅ）は第３光源５０ｃの上側のＬＥＤ５１のみを点灯または点滅させることにより、第５導光シート４６ｅを介して７から９までの数字キーを含むキー列を点灯または点滅制御している状態（図中斜線を付して示す）、同図（ｆ）は第３光源５０ｃの下側のＬＥＤ５２のみを点灯または点滅させることにより、第６導光シート４６ｆを介して０の数字キーとアスタリスク（＊）キーとシャープ（♯）キーとを含むキー列を点灯または点滅制御している状態（図中斜線を付して示す）、をそれぞれ示している。
【００３８】
なお、任意の２個以上のＬＥＤを組み合わせて点灯または点滅制御させたり、また、点灯または点滅制御するＬＥＤの個数及びその組み合わせを適宜変更したりすることで、操作キー１０〜１９の照光個数や照光箇所がリズミカルに変化し、いわゆるイルミネーション効果を得ることが可能となる。このような点灯または点滅制御を行うタイミングとしては、例えばダウンロードした音楽を視聴しているときに、その音楽に合わせて点灯または点滅制御させることで、音楽をより楽しく視聴することができる。また、上記実施形態１では、ＬＥＤの発光色については言及していないが、例えばＬＥＤの発光色を互いに異ならせておくことにより、キー列ごとによりカラフルな点灯または点滅制御を行うことが可能となる。
【００３９】
＜実施形態２＞
上記実施形態１は、最も基本的な構成として、２層ＬＥＤ構造の１個の光源で隣接する２個の導光シートを照光させるものであったが、本実施形態２はその応用として、互いの発光色の異なる３層ＬＥＤ構造の１個の光源で隣接する３個の導光シートを照光させる実施形態である。
【００４０】
図７は、本実施形態２に係る操作筐体１の断面図であり、図１のＥ−Ｅ線に沿う断面図である。また、図８は、導光シートとキーとの配置状態を上面から見た説明図である。
【００４１】
本実施形態２の折り畳み式携帯電話は、６個の導光シート４６ａ〜４６ｆに対して２個の光源５０ｄ，５０ｅが配置されており、各光源５０ｄ，５０ｅは、隣接する３個の導光シートに対して１個配置されている。すなわち、第１光源５０ｄは、１列目と２列目と３列目の第１，第２及び第３導光シート４６ａ，４６ｂ，４６ｃに対応し、第２光源５０ｅは、４列目と５列目と６列目の第４，第５及び第６導光シート４６ｄ，４６ｅ，４６ｆに対応している。
【００４２】
ここで、１列目と２列目と３列目の第１，第２及び第３導光シート４６ａ，４６ｂ，４６ｃとこれに対応する第１光源５０ｄとの配置関係について、図８を参照してさらに詳細に説明する。ただし、残りの導光シート４６ｄ〜４６ｆと第２光源５０ｅとの配置関係もここで説明する配置関係と同様である。
【００４３】
第１光源５０ｄは、３個の第１，第２及び第３導光シート４６ａ，４６ｂ，４６ｃのそれぞれに対して独立して配置された３個のＬＥＤ５１，５２，５３からなり、これらＬＥＤ５１，５２，５３が入光方向（図８では右方向）に対して直交する方向（紙面に垂直な方向）に積層された３層ＬＥＤ構造となっている。
【００４４】
一方、第１，第２及び第３導光シート４６ａ，４６ｂ，４６ｃは、この第１光源５０ｄの構造に対応すべく、第１光源５０ｄからの光を導光シート内部に導入するための入光部４６ａ１，４６ｂ１，４６ｃ１をそれぞれ備えており、各入光部４６ａ１，４６ｂ１，４６ｃ１（特に、光源に近い部分の入光部）は、第１光源５０ｄの入光方向に対して直交する方向（紙面に垂直な方向）に重積配置された構成となっている。図７では、第１導光シート４６ａの入光部４６ａ１が上側のＬＥＤ５１に対向配置され、第２導光シート４６ｂの入光部４６ｂ１が中央のＬＥＤ５２に対向配置され、第３導光シート４６ｃの入光部４６ｃ１が下側のＬＥＤ５３に対向配置された構成となっているが、この逆の配置でも良いことは当然である。このように重積配置した場合、一の入光部に入射された光が他方の２つの入光部に漏れるため、本実施形態２では、これら入光部４６ａ１，４６ｂ１間、及び入光部４６ｂ１，４６ｃ１間にそれぞれ遮光シート４８を介装している。ただし、本実施形態２では、上記実施形態１とは異なり、隣接する導光シート間には遮光シート４９を配置していない。
【００４５】
上記構成において、本実施形態２では、各光源５０ｄ，５０ｅの３個のＬＥＤ５１，５２，５３をそれぞれ発光色の異なるＬＥＤ、具体的にはＲ，Ｇ，Ｂの各発光色のＬＥＤとしている。例えば上側のＬＥＤ５１が赤色、中央のＬＥＤ５２が緑色、下側のＬＥＤ５３が青色となっている。このように配置することで、第１導光シート４６ａを赤色で照光し、隣接する第２導光シート４６ｂを緑色で照光すると、隣接する部分では両方の色が混ざった黄色がかった色となり、第２導光シート４６ｂを緑色で照光し、隣接する第３導光シート４６ｃを青色で照光すると、隣接する部分では両方の色が混ざった水色がかった色となる。
【００４６】
同様に、第４導光シート４６ｄを赤色で照光し、隣接する第５導光シート４６ｅを緑色で照光すると、隣接する部分では両方の色が混ざった黄色がかった色となり、第５導光シート４６ｅを緑色で照光し、隣接する第６導光シート４６ｆを青色で照光すると、隣接する部分では両方の色が混ざった水色がかった色となる。また、第３導光シート４６ｃを青色で照光し、第４導光シート４６ｄを赤色で照光すると、隣接する部分では両方の色が混ざった紫がかった色となる。
【００４７】
さらに、Ｒ，Ｇ，Ｂに対応する３列の第１，第２及び第３導光シート４６ａ，４６ｂ，４６ｃを同時に照光した場合、中央部に位置する第２導光シート４６ｂでは、隣接する両側の導光シート４６ａ，４６ｃから漏れ出した赤色の光と青色の光とが混ざるため、その部分では白色若しくは白っぽい色となる。
【００４８】
＜実施形態３＞
図９は、本実施形態３に係る操作筐体の導光シートとキーとの配置状態を上面から見た説明図である。
【００４９】
上記実施形態２では、隣接する各導光シート４６ａ〜４６ｆを、若干の隙間を開けて並設しているが、本実施形態３では、隣接する導光シートの隣接する側縁部分を重複（図中、斜線を付して示す）するように配置した実施例である。このように配置することで、例えば第１導光シート４６ａを赤色で照光し、隣接する第２導光シート４６ｂを緑色で照光すると、重複部分４６ａｂ２を含む周辺部分では両方の色が混ざった黄色がかった色となり、第２導光シート４６ｂを緑色で照光し、隣接する第３導光シート４６ｃを青色で照光すると、重複部分４６ｂｃ２を含む周辺部分では両方の色が混ざった水色がかった色となる。また、第３導光シート４６ｃを青色で照光し、隣接する第４導光シート４６ｄを赤色で照光すると、重複部分４６ｃｄ２を含む周辺部分では両方の色が混ざった紫がかった色となる。この場合、隣接する導光シートが重複しているので、上記実施形態２の場合よりも混ざり合う部分がより多くなり、より変化に富んだグラディエーション的な照光を実現することができる。
【図面の簡単な説明】
【００５０】
【図１】本発明のキー入力装置を実装した携帯端末の実施形態１を示す外観図である。
【図２】操作筐体側の分解斜視図である。
【図３】図１のＤ−Ｄ線に沿う断面図である。
【図４】導光シートとキーとの配置状態を上面から見た説明図である。
【図５】実施形態１に係る折り畳み携帯電話の主要部の電気的構成の一例を示す機能ブロック図である。
【図６】主制御部からの指示に従って入力制御部が行う各ＬＥＤの最も基本的な点灯制御の例を示す説明図である。
【図７】実施形態２に係る操作筐体の断面図である。
【図８】実施形態２に係る操作筐体の導光シートとキーとの配置状態を上面から見た説明図である。
【図９】実施形態３に係る操作筐体の導光シートとキーとの配置状態を上面から見た説明図である。
【符号の説明】
【００５１】
１  操作筐体
１ａ  上側筐体
１ｂ  下側筐体
２  表示筐体
３  可動連結部
Ａ１  第１回転軸
１０  テンキー
１１  メールキー
１２  ガイドキー
１３  インターネットキー
１４  多機能キー
１５  オフフック（電源）キー
１６  オンフックキー
１７  クリア（Ｃ）キー
１８  アットマーク（＠）キー
１９  テレビ（ＴＶ）キー
２０メイン表示画面
２１  通話用レシーバ
４４  基板
４５  キーシート
４５ａキースイッチ
４６ａ  第１導光シート
４６ｂ  第２導光シート
４６ｃ  第３導光シート
４６ｄ  第４導光シート
４６ｅ  第５導光シート
４６ｆ  第６導光シート
４７  キーユニット
４７ａ  キートップ
５０ａ  第１光源
５０ｂ  第２光源
５０ｃ  第３光源
５１〜５３  ＬＥＤ
６０  主制御部
６２  入力制御部
６４  表示制御部
６５  バックライト
６６  セルラー通信部
６７  インターネット接続部
６８  ＴＶ受信部
【図１】
2010027335.tif 000003
【図２】
2010027335.tif 000004
【図３】
2010027335.tif 000005
【図４】
2010027335.tif 000006
【図５】
2010027335.tif 000007
【図６】
2010027335.tif 000008
【図７】
2010027335.tif 000009
【図８】
2010027335.tif 000010
【図９】
2010027335.tif 000011